(57)【特許請求の範囲】
【請求項１】
聴覚装置であって、
前記聴覚装置の入力信号の第１周波数部分を供給するように構成されている第１フィルタであって、前記第１周波数部分は、ローパスフィルタを通過した部分を備える、前記第１フィルタと、
前記入力信号の第２周波数部分を供給するように構成されている第２フィルタであって、前記第２周波数部分は、ハイパスフィルタを通過した部分を備える、前記第２フィルタと、
第１周期関数に基づく第１モデルを用いて、前記第１周波数部分から第１合成信号を生成するように構成されている第１合成ユニットであって、前記第１合成信号の位相は、少なくとも部分的にランダム化される、前記第１合成ユニットと、
前記第２周波数部分と前記第１合成信号とを結合し、結合信号を供給するように構成されている結合器と、を備える聴覚装置。
【請求項２】
請求項１に記載の聴覚装置であって、
前記入力信号の第３周波数部分を供給するように構成されている第３フィルタであって、前記第３周波数部分は、ローパスフィルタを通過した部分を備える、前記第３フィルタを備え、
前記第３の周波数部分を前記結合信号に含めるように構成されている、聴覚装置。
【請求項３】
請求項１または２に記載の聴覚装置であって、
前記第１周波数部分がバンドパスフィルタを通過した部分である、聴覚装置。
【請求項４】
請求項１から３のいずれかに記載の聴覚装置であって、
前記入力信号の第４周波数部分を供給するように構成されている第４フィルタであって、前記第４周波数部分は、ハイパスフィルタを通過した部分を備える、前記第４フィルタと、
第２周期関数に基づく第２モデルを用いて、前記第４周波数部分から第２合成信号を生成するように構成されている第２合成ユニットと、を備え、
前記第２合成信号を前記結合信号に含めるように構成され、
前記第２周波数部分がバンドパスフィルタを通過した部分である、聴覚装置。
【請求項５】
請求項４に記載の聴覚装置であって、
前記第２合成ユニットは、前記第２合成信号の周波数をより低い周波数にシフトさせるように構成されている、聴覚装置。
【請求項６】
請求項１から５のいずれか一項に記載の聴覚装置であって、
前記第１合成ユニットは、前記第１合成信号の周波数をシフトさせるように構成されている、聴覚装置。
【請求項７】
請求項１から６のいずれか一項に記載の聴覚装置であって、
前記第１合成ユニットは、
前記第１周波数部分を、互いに重なり合い得る複数の第１セグメントに分割し、
前記複数の第１セグメントの各セグメントに窓関数を適用して周波数領域に変換し、
各セグメントにおいて、少なくとも２以上であり得るＮ個の最も高いピークを選択するように構成され、
前記第１合成信号を生成することは、前記選択されたピークのそれぞれを前記第１周期関数で置き換えることを含む、聴覚装置。
【請求項８】
聴覚装置の入力信号と出力信号との相関を除去する方法であって、
前記入力信号の複数の周波数部分を選択することであって、前記複数の周波数部分は、ローパスフィルタを通過した部分を備える第１周波数部分と、ハイパスフィルタを通過した部分を備える第２周波数部分と、を含む、前記選択することと、
第１周期関数に基づく第１モデルと、前記第１周波数部分と、を用いて、第１合成信号を生成することであって、前記第１合成信号の位相は、少なくとも部分的にランダム化される、前記生成することと、
前記第１合成信号と前記第２周波数部分とを含む複数の処理信号を結合することと、
を備える方法。
【請求項９】
請求項８に記載の方法であって、
前記複数の周波数部分は、ローパスフィルタを通過した部分を備える第３周波数部分を含み、
前記複数の処理信号は、前記第３周波数部分を含む、方法。
【請求項１０】
請求項８または９に記載の方法であって、
前記第１周波数部分は、バンドパスフィルタを通過した部分である、方法。
【請求項１１】
請求項８から１０のいずれかに記載の方法であって、
前記複数の周波数部分は、ハイパスフィルタを通過した部分を備える第４周波数部分を含み、
前記方法は、第２周期関数に基づく第２モデルと、前記第４周波数部分と、を用いて、第２合成信号を生成することを備え、
前記複数の処理信号は、前記第２合成信号を含み、
前記第２周波数部分は、バンドパスフィルタを通過した部分である、方法。
【請求項１２】
請求項８から１１のいずれかに記載の方法であって、
前記第１周波数部分を、互いに重なり合い得る第１複数のセグメントに分割することと、
前記第１複数のセグメントの各セグメントに窓関数を適用して周波数領域に変換することと、
各セグメントにおいて、少なくとも２であり得るＮ個の最も高いピークを選択することと、を備え、
前記第１合成信号を生成することは、前記選択されたピークのそれぞれを前記第１周期関数で置き換えることを含む、方法。
【請求項１３】
請求項１２に記載の方法であって、
前記選択されたピークの少なくとも第１部分を、前記選択されたピークの前記少なくとも第１部分の周波数よりも低い周波数を持つ周期関数で置き換えることにより、前記生成された第１合成信号の少なくとも第１部分の周波数を、より低い周波数にシフトさせる、方法。
【請求項１４】
請求項１２または１３に記載の方法であって、
前記選択されたピークの少なくとも第２部分を、前記選択されたピークの前記少なくとも第２部分の周波数よりも高い周波数を持つ周期関数で置き換えることにより、前記生成された第１合成信号の少なくとも第２部分の周波数を、より高い周波数にシフトさせる、方法。
【請求項１５】
請求項１２から１４のいずれかに記載の方法であって、
前記選択されたピークのうちの幾つかのピークの少なくとも幾つかの位相を、［０，２π］ラジアンに亘る一様分布からランダムあるいは疑似ランダムに選択された位相で置き換えることによって、前記第１合成信号の位相は、少なくとも部分的にランダム化される、方法。
【発明の詳細な説明】
【技術分野】
【０００１】
本発明は、補聴器のような聴覚装置における安定性を改善し、音声の聴き取り易さを向上するための、信号の相関除去に関する。
【背景技術】
【０００２】
補聴器における信号処理は、通常、信号の時変ゲインを決定し、その信号にそのゲインをかけ合わせることによって、実装される。この手法は線形時変システム、すなわち、時間とともに変化する周波数応答を有するフィルタを与える。このシステムは、ダイナミック・レンジ・コンプレッションや、ノイズ・サプレッションなど、目的とする信号処理が時間および周波数に依存するゲインであるような処理に対して、非常に効果的であろう。しかしながら、時変フィルタは、その線形性のために、本発明のように、周波数変化や位相ランダム化などの非線形処理の実装には用いることが出来ない。
【０００３】
代替手法として、分析合成（analysis/synthesis）システムを用いることもある。分析（analysis）では、入力信号は通常複数のセグメントに分割され、それぞれのセグメントが一組の信号特性を決定するために分析される。合成（synthesis）では、測定された、あるいは修正された信号特性を用いて、新たな信号が生成される。効果的な分析合成スキームは、米国特許第４，８８５，７９０号明細書、米国再発行特許第３６，４７８号明細書および米国特許第４，８５６，０６８号明細書によって公知となっている正弦波モデリングである。分析は、それぞれのセグメントに対する高速フーリエ変換（ＦＦＴ）の計算と、そのＦＦＴのそれぞれのピークについての周波数、振幅および位相の決定からなる。それぞれの正弦波はＦＦＴのピークに適合されるが、必ずしも全てのピークを用いる必要はない。その規則は、１つのセグメントにおけるピークの振幅と、位相と、周波数を、次のセグメントにおける対応するピークとリンクさせ、滑らかに変動する信号を与えるために、それぞれの正弦波の振幅、位相および周波数は、複数の出力セグメントに亘って補間される。従って、限られた数の修正された正弦波成分を用いて、音声が再現される。
【０００４】
正弦波モデリングは、非線形の信号修正の枠組みを提供する。この手法は、例えば、米国特許第５，０５４，０７２号明細書に示すような、デジタル音声コーディングに利用することが出来る。信号の振幅および位相は、音声について決定され、デジタルで符号化され、それらを用いて正弦波を合成し出力信号を生成するレシーバに向けて送信される。
【０００５】
McAulay,R.J.とQuatieri,T.F.の"Speech analysis/synthesis based on a sinusoidal representation"（IEEE Trans. Acoust. Speech and Signal Processing, Vol ASSP-34, pp 744-754, 1986）で報告されているように、正弦波モデリングは、時間スケールおよび周波数の修正に対しても効果的である。時間スケールの修正については、ＦＦＴのピークの周波数は保存されるが、出力信号の連続するセグメントの間の間隔は、信号の速度を上げるために減少させることも出来るし、信号の速度を下げるために増加させることも出来る。周波数シフトについては、出力信号のセグメントの間隔は各正弦波についての振幅の情報に従って保存されるが、それらの正弦波は元の値からシフトされた周波数で生成される。米国特許第４，８８５，７９０号明細書および米国特許第５，０５４，０７２号明細書に示されるように、別の信号操作では、合成された正弦波の位相を動的に調整することによって、ピーク対平均比（peak-to-average ratio）を低減して、信号のピークの振幅を減少させる。
【０００６】
正弦波モデリングは、音声強調に対しても用いることが出来る。Quatieri,T.F. とDanisewicz,R.G.の"An approach to co-channel talker interference suppression using a sinusoidal model for speech"（IEEE Trans. Acoust. Speech and Signal Processing, Vol 38, pp 56-69, 1990）では、正弦波モデリングを使用して音声の干渉を抑制している。Katesもまた、雑音の抑制の基礎として正弦波モデリングを用いている（この内容は、Kates,J.M.の"Speech enhancement based on a sinusoidal model"（J. Speech Hear Res, Vol 37, pp 449-464, 1994）で報告されている）。上記したKatesによる研究では、音声と想定される信号の高強度の正弦波成分は再現され、雑音と想定される低強度の成分は除去される。しかしながら、音声の明瞭度の改善に対しては、恩恵がない。JansenとHansenは、相加性の広帯域雑音によって劣化した音声を、正弦波モデリングを用いて強調しており、彼らの手法がウィーナーフィルタなどの比較スキームよりも効果的であることを見出している（この内容は、Jansen,J.とHansen,J,H.L.の"Speech enhancement using a constrained iterative sinusoidal model"（IEEE Trans. Speech and Audio Proc, Vol 9, pp 731-740, 2001）で報告されている）。
【０００７】
正弦波モデリングは、聴力損失および補聴器に対しても応用されている。RutledgeとClementsは、正弦波モデリングをダイナミック・レンジ・コンプレッションについての処理フレームワークとして使用している（この内容は、米国特許第５，２７４，７１１号明細書で報告されている）。彼らは、正弦波モデリングを使用して信号帯域幅の全体を再現しているが、聴覚損失が測定されている周波数における合成成分の振幅を増大させている。他の者も、同様の手法を用いて、合成された正弦波成分の周波数を元の信号の周波数よりも低くシフトすることにより、聴覚障害を有する聴取者に対する周波数の低減を提供している。シフト量は周波数に依存しており、低周波数では小さなシフト量であり、高周波数では大きなシフト量である。
【発明の概要】
【発明が解決しようとする課題】
【０００８】
従って、本発明は、補聴器のような聴覚装置における安定性の改善を実現するための計算が簡単な方法を提供することを目的とする。
【０００９】
上記又は他の目的を達成するための第１態様は、第１フィルタと、第２フィルタと、第１合成ユニットと、結合器と、を備える聴覚装置である。第１フィルタは、聴覚装置の入力信号の第１周波数部分を供給するように構成されている。第１周波数部分は、ローパスフィルタを通過した部分を備え、又は、当該部分（即ち入力信号のうちのローパスフィルタを通過した部分）である。第２フィルタは、聴覚装置の入力信号の第２周波数部分を供給するように構成されている。第２周波数部分は、ハイパスフィルタを通過した部分を備え、又は、当該部分（即ち入力信号のうちのハイパスフィルタを通過した部分）である。第１合成ユニットは、第１周期関数に基づく第１モデルを用いて、第１周波数部分から第１合成信号を生成するように構成されている。第１合成信号の位相は、少なくとも部分的にランダム化されてもよい。結合器は、第２周波数部分と第１合成信号とを結合し、結合信号を供給するように構成されている。
【００１０】
本発明の第２態様は、聴覚装置の入力信号と出力信号との相関を除去する方法である。方法は、入力信号の複数の周波数部分を選択することと、第１合成信号を生成すると、複数の処理信号を結合することと、を備える。複数の周波数部分は、第１周波数部分と第２周波数部分とを含む。第１周波数部分は、ローパスフィルタを通過した部分を備え、又は、当該部分（即ち入力信号のうちのローパスフィルタを通過した部分）である。第２周波数部分は、ハイパスフィルタを通過した部分を備え、又は、当該部分（即ち入力信号のうちのハイパスフィルタを通過した部分）である。第１合成信号は、第１モデルと第１周波数部分とを用いて生成される。第１モデルは、第１周期関数に基づくものである。第１合成信号の位相は、少なくとも部分的にランダム化されてもよい。結合される複数の処理信号は、第１合成信号と第２周波数部分とを含む。
【００１１】
入力信号の第１周波数部分から第１合成信号を生成すると共に、入力信号の第２周波数成分を当該合成信号に合成することによって、入力信号の第１周波数部分が合成された信号に対して少なくとも部分的に相関除去され、聴覚装置の安定性を高め得る。第１及び第２フィルタの手段のそれぞれによって入力信号の第１及び第２周波数部分を供給して、選択された１以上の周波数部分のみで合成信号を生成することは、聴覚装置の全周波数範囲のように広い周波数範囲で合成信号を生成する構成と比べて、コンピュータの負荷を低減し得る。従って、実施例では、合成信号は、第１周波数部分から生成され、第２周波数部分から生成されない。結果として得られる聴覚装置は、高い安定性と、コンピュータの処理負荷の低減と、の組合せの効果を発揮し得る。
【００１２】
従って、１以上の合成信号が、必要な（あるいは最も必要な）周波数のみについて、あるいは、当該周波数を主として、生成されれば、上記の効果が達成され得る。
【００１３】
本発明の聴覚装置は、聴覚機器と補聴器のいずれか一方あるいはいずれかの組み合わせであってもよい。
【００１４】
例えば、任意の信号のバンドパスフィルタを通過したいずれの部分も、その信号のローパスフィルタを通過した部分を必然的に備えていることは明らかである。また、バンドパスフィルタを通過した部分は、必然的に、ローパスフィルタを通過した部分、すなわち、その信号のローパスフィルタ部分およびハイパスフィルタ部分である。
【００１５】
聴覚装置は、入力変換器及び／又は聴覚損失処理装置及び／又はレシーバを備えている。入力変換器は、例えば電気的入力信号等の入力信号を提供するために用いられる。聴覚損失処理装置は、処理済信号を提供するために、結合信号を処理する。しかしながら、聴覚損失処理装置は、結合器を用いて処理結果を結合する前に、第２周波数部分と合成信号とを個別に処理することで処理済信号を提供してもよい。聴覚損失処理装置の処理は、聴覚装置のユーザの聴覚障害に合わせて行われる。レシーバは、処理済信号を外部の音声シグナルへと変換するためのものであってもよい。
【００１６】
第１フィルタは、入力変換器に接続されていてもよい。第２フィルタは、入力変換器に接続されていてもよい。合成ユニットは、第１フィルタの出力に接続されていてもよい。結合器は、第２フィルタの出力に接続されるとともに、合成ユニットの出力に接続されていてもよい。本明細書において「接続」なる用語を用いる場合、（アンプ、コンバータ等の）一つ又は複数の第３エレメントが間に配置されていたとしても、（例えば第１フィルタ等の）第１エレメントが（例えば入力変換器等の）第２エレメントに接続されることを意味することは明らかである。
【００１７】
聴覚装置は、入力信号の第３周波数部分を供給するように構成されている第３フィルタを備えていてもよい。第３周波数部分は、ローパスフィルタを通過した部分であってもよい。聴覚装置及び／又は結合器は、第３の周波数部分を結合信号に含めるように構成されていてもよい。
【００１８】
複数の周波数部分は、ローパスフィルタを通過した部分を含む第３周波数部分、又は、ローパスフィルタを通過した部分である第３周波数部分を備えていてもよい。複数の処理信号は、第３周波数部分を含んでいてもよい。
【００１９】
聴覚装置は、入力信号の第４周波数部分を供給するように構成されている第４フィルタを備えていてもよい。第４周波数部分は、ハイパスフィルタを通過した部分を備えていてもよい。聴覚装置は、第２周期関数に基づく第２モデルを用いて、第４周波数部分から第２合成信号を生成するように構成されている第２合成ユニットを備えていてもよい。聴覚装置及び／又は結合器は、第２合成信号を結合信号に含めるように構成されていてもよい。
【００２０】
複数の周波数部分は、ハイパスフィルタを通過した部分を含む第４周波数部分、又は、ハイパスフィルタを通過した部分である第４周波数部分を備えていてもよい。方法は、第４周波数部分と第２モデルとに基づいて第２合成信号を生成するステップを含んでいてもよく、第２モデルは、第２周期関数に基づいていてもよい。複数の処理信号は、第２合成信号を備えていてもよい。
【００２１】
第２周波数部分は、バンドパスフィルタを通過した部分であってもよい。すなわち、第２周波数部分は、入力信号のバンドパスフィルタを通過した部分であってもよい。
【００２２】
第２周波数部分は、第１周波数部分よりも高い周波数又は高い周波数領域を表してもよい（又は備えていてもよい）。
【００２３】
第１周波数部分は、バンドパスフィルタを通過した部分であってもよい。すなわち、第１周波数部分は、入力信号のバンドパスフィルタを通過した部分であってもよい。
【００２４】
第１フィルタは、ローパスフィルタ、バンドパスフィルタ、及び、バンドストップフィルタのいずれか、もしくはこれらの組み合わせであってもよい。
【００２５】
第２フィルタは、ハイパスフィルタ、バンドパスフィルタ、及び、バンドストップフィルタのいずれか、もしくはこれらの組み合わせであってもよい。
【００２６】
第３フィルタは、ローパスフィルタ、ハイパスフィルタ、バンドパスフィルタ、及び、バンドストップフィルタのいずれか、もしくはこれらの組み合わせであってもよい。
【００２７】
第４フィルタは、ローパスフィルタ、ハイパスフィルタ、バンドパスフィルタ、及び、バンドストップフィルタのいずれか、もしくはこれらの組み合わせであってもよい。
【００２８】
本発明の聴覚装置は、２、３、４、もしくはそれ以上の複数の不安定性のためのフィルタと合成ユニットを備えていてもよい。
【００２９】
聴覚装置のフィルタは、入力信号が少なくとも実質的に複数の周波数部分に分割されるように構成されていてもよい。これは、フィルタが少なくとも実質的に同一であるカットオフ周波数の対を有すること、ならびに、そのような少なくとも実質的に同一のカットオフ周波数の対の数が、フィルタの数から１が減算された数と等しいことで可能となる。例えば、第１及び第２フィルタは、ロー及びハイパスフィルタの補償対であってもよく、同一もしくは実質的に同一のカットオフ（あるいはクロスオーバ）周波数を有していてもよい（すなわち、実質的に同一のカットオフ周波数の対が１つ提供される）。一つ又は複数の実施形態では、第１フィルタはバンドパスフィルタであってもよく、第２フィルタはハイパスフィルタであってもよく、第３フィルタはローパスフィルタであってもよく、第３フィルタのカットオフ周波数は第１フィルタのカットオフ周波数と少なくとも実質的に同一であってもよく、第２フィルタのカットオフ周波数は第１フィルタの高いカットオフ周波数と少なくとも実質的に同一であってもよい（すなわち、２対の実質的に同一のカットオフ周波数が提供される）。
【００３０】
第１フィルタの第１カットオフ周波数は、第２フィルタの第１カットオフ周波数の約２００Ｈｚ内であり、例えば、１００Ｈｚ以内又は５０Ｈｚ以内である。
【００３１】
本発明の１または複数の実施例によると、第１及び／又は第２周期関数は、例えば第１／第２正弦波もしくは正弦波の線形結合等の第１／第２三角関数であってもよく、あるいはそのような第１／第２三角関数を含んでいてもよい。これにより、音声信号は高次の周期性を有しており、フーリエの定理に従って正弦波あるいは正弦波の線形結合によりモデル化（もしくは近似化）することができるため、音声をモデリングする簡単な方法が提供される。これにより、特に音声信号のための非常に正確かつ簡単な演算モデルが提供される。正弦波という用語は、サインもしくはコサインを意味する。
【００３２】
本方法は、第１合成信号の周波数及び／又は第２合成信号の周波数をシフトするステップを備えていてもよい。（例えば、第１合成信号及び／又は第２合成信号等の）本発明の聴覚装置のいかなる信号も、所定の周波数領域内で実質的に連続した周波数等の複数の周波数を有していてもよい。よって、聴覚装置の所定の信号の周波数をシフトするということは、当該信号の周波数をシフトすること、もしくは当該信号の周波数の少なくとも一部をシフトすることを意味することは明らかである。第１合成ユニットは第１合成信号の周波数をシフトするように構成されていてもよい。第２合成ユニットは第２合成信号の周波数をシフトするように構成されていてもよい。周波数をシフトすることで、入力と出力の信号間の相関排除を増加させる簡単な方法が提供される。第１（及び／又は第２）合成ユニットが第１（及び／又は第２）合成信号の周波数をシフトするように構成されるとの表現は、各合成ユニットで生成され、結合器で（その後）結合される各種信号の周波数を、各合成ユニットに設けられたフィルタによって生成される各周波数部分に対してシフトする（すなわち、別の周波数領域へシフトする）ことであってもよい。
【００３３】
本方法及び／又は第１合成ユニットは、第１合成信号の少なくとも第１部分の周波数を低減する方向へシフトするように構成されていてもよい。代替的にあるいは追加的に、本方法及び／又は第１合成ユニットは、第１合成信号の少なくとも第２部分の周波数を増加する方向へシフトするよう構成されていてもよい。
【００３４】
本方法及び／又は第２合成ユニットは、第２合成信号の少なくとも第１部分の周波数を低減する方向へシフトするよう構成されていてもよい。代替的にあるいは追加的に、本方法及び／又は第２合成ユニットは、第２合成信号の少なくとも第２部分の周波数を増加する方向へシフトするよう構成されていてもよい。
【００３５】
代替的にあるいは追加的に、第１合成信号の位相（及び／又は第２合成信号等のその他の合成信号の位相）は、少なくとも部分的にランダム化されてもよい。これは、例えば、元の（高周波数）信号の位相をランダムな位相で置き換えることで実現される。ここでは、簡単な演算による入力と出力信号の相関排除のための別の方法を得ることができる。
【００３６】
本発明の１または複数の実施例によると、合成信号の周波数シフティングは、位相のランダム化とともに用いることができる。よって、周波数シフティングによる相関排除の効果と位相ランダム化による相関排除の効果を同時に得ることができる。これにより、より高次な相関排除を得ることができ、より高い聴覚装置の安定性を得ることができる。
【００３７】
位相のランダム化は、例えば、元の位相とランダムな位相を任意の比率でブレンドすることで得ることができる。よって、所望のシステム（聴覚装置）の安定性を得るために必要最低限の位相ランダム化をおこなうことができ、これと同時に、演算負荷を可能な限り抑える一方で、所望される安定性の向上において可能な限り最も高い音声品質を得ることができる。
【００３８】
本発明の聴覚装置は、例えば米国特許出願番号第２００２／０１７６５８４に示される構成のような、フィードバック抑制フィルタを備えていてもよい。ここでは、より向上された聴覚装置の安定性を得ることができ、フィードバックがかかる前に聴覚装置のより高い増幅域での使用が可能となる。
【００３９】
信号の正弦波モデル化は、信号に歪を生じさせることがある。しかしながら、例えば正弦波モデル化によって生じる歪等の歪みは、ユーザにとっては、増加する周波数においてより聞きにくいものとなりうる。
【００４０】
聴覚装置における少なくともいくつかのフィードバックは、高周波数での現象であってもよい。しかしながら聴覚装置におけるいくつかのフィードバックは追加的に、あるいは代替的にその他の周波数部分において行われてもよい。
【００４１】
本記載では、高周波数、中周波数、低周波数の記載は、例えば約２０Ｈｚから２０ｋＨｚの間の、人間の正常聴覚周波数域に対して規定されるものである。よって、１または複数の実施例における高周波数という記載は、例えば、２．５ｋＨｚより大きい、３ｋＨｚより大きい、３．５ｋＨｚより大きい等の、２ｋＨｚより大きい周波数を意味していてもよい。この１または複数の実施例では、中周波数という記載は、５００Ｈｚ〜２ｋＨｚの周波数を意味していてもよい。低周波数という記載は、５００Ｈｚより低い周波数を意味していてもよい。代替の実施例では、高周波数という記載は、３．５ｋＨｚより大きい周波数を意味していてもよい。代替の実施例では、中周波数という記載は、１５００Ｈｚ〜３Ｈｚの周波数を意味してもよい。この実施例において低周波数という記載は、１５００Ｈｚより低い周波数を意味してもよい。さらに別の実施例では、高周波数という記載は、例えば２ｋＨｚより大きい、３ｋＨｚより大きい、３．５ｋＨｚより大きい等の、１．５ｋＨｚより大きい周波数を意味してもよい。この実施例では、中周波数という記載は、７００Ｈｚ〜１．５ｋＨｚの周波数を意味してもよい。この実施例では、低周波数という記載は、７００Ｈｚより低い周波数を意味してもよい。
【００４２】
補聴器を使用するユーザの聴覚損失の主な形態として、高周波数損失があげられる。よって、高周波数を低減することで、少なくともそれらのリスナーにとっての高周波数の可聴度を向上させることができる。
【００４３】
例えば、高周波数のほぼ正常なヒアリングができている場合において、低周波数において可聴度のロスが生じる場合、聴覚損失が生じる。例えば信号を増幅する等して低周波数をより高くすることで、このタイプのロスに苦しむユーザの可聴度を向上させることができる。
【００４４】
中周波数にロスが生じる一方で低周波数及び高周波数での可聴度が高い、いわゆる「クッキーバイト」型の聴覚損失が存在する。このような場合、第１、第２、第３周波数部分を用いるように構成されたシステムが有利である。例えば、ローパスおよびハイパスフィルタによって信号が非修正の周波数部分が提供され、中周波数バンドパスフィルタによって、例えば中周波数を低減及び／又は増加させる（すなわち、中周波数を大きくする）ことで、中周波数をより可聴度の高い領域へとシフトさせる正弦波モデリングが適用された周波数部分を提供することができる。
【００４５】
中周波数における損失の場合、周波数をシフトアップ及び／又はシフトダウンするのかは、損失を含む周波数領域に依存する。シフトアップの場合、歪みをより聞こえにくくすることができるが、ユーザにとっての高周波数における周波数分解能が低いことがあり、いくつかの周波数分解能が失われてしまうことがある。
【００４６】
よって、中周波数損失におけるオプションとして、損失領域そのものを２つの周波数領域に分割し、２つの領域のうち低い方を周波数の低い方向へとシフトし、２つの領域のうち高い方を周波数の高い方向へとシフトすることができる。このアプローチは、周波数シフトが行われていないローパスと、周波数を低くシフトした低バンドパスと、周波数を高くシフトした高バンドパスと、周波数シフトが行われていないハイパスの、４つのフィルタ出力を備える実施形態に具現化できる。
【００４７】
処理歪は低周波数においてより顕著になることから、低周波数およびクッキーバイト型の損失の両方にとって、可聴な歪が問題となり得る。
【００４８】
例えば、音響フィードバックを低減するため等、周波数を高周波数にシフトすることで、補聴器の安定性を向上させることができる。
【００４９】
信号の位相をランダム化することも音響フィードバックを低減するのに有効であり得る。
【００５０】
周波数シフティングは、可聴度を向上させるのに有効であり得る。
【００５１】
低周波数における音響フィードバックは、例えば、パワーデバイス等で問題となり得る。
【００５２】
位相ランダム化は、補聴器の不安定性が最も高い、１つまたは複数の周波数領域にのみ適用され得る。代替的にあるいは追加的に、正弦波モデリングを入力信号の全てに対して用いてもよい。
【００５３】
可聴度の損失が低周波数において生じている場合、周波数をシフトアップさせてもよい。仮に、可聴度の損失が中周波数において生じている場合、モデリングによって生じる歪が周波数が増加するにつれて聞き取りにくくなることから、（この場合においてシフトダウンさせることができるにも関わらず）周波数をシフトアップさせてもよい。
【００５４】
本方法及び／又は第１合成ユニットは、
第１周波数部分を、互いに重なり合い得る複数の第１セグメントに分割し、及び／又は、
複数の第１セグメントの各セグメントに窓関数を適用して周波数領域に変換し、及び／又は、
各セグメントにおいて、少なくとも２以上であり得るＮ個の最も高いピークを選択するように構成され、
第１合成信号を生成することは、選択されたピークのそれぞれを第１周期関数で置き換えることを含むように構成されていてもよい。
【００５５】
追加的にあるいは代替的に、本方法及び／又は第２合成ユニットは、
第２周波数部分を、互いに重なり合い得る複数の第２セグメントに分割し、及び／又は、
複数の第２セグメントの各セグメントに窓関数を適用して周波数領域に変換し、及び／又は、
各セグメントにおいて、少なくとも２以上であり得るＮ個の最も高いピークを選択するように構成され、
第１合成信号を生成することは、選択されたピークのそれぞれを第２周期関数で置き換えることを含むように構成されていてもよい。
【００５６】
例えば、窓関数の適用による信号の特徴損失が補償されるように、セグメントは重なり合っていてもよい。
【００５７】
第１合成信号及び／又は第２合成信号を生成することは、Ｎ個のピークのそれぞれの周波数、振幅、及び位相を用いることを含んでいてもよい。
【００５８】
選択されたピークの少なくとも第１部分の周波数よりも低い周波数を持つ周期関数で置き換えることにより、生成された第１及び／又は第２合成信号の少なくとも第１部分の周波数を、より低い周波数にシフトさせてもよい。
【００５９】
選択されたピークの少なくとも第２部分を、選択されたピークの少なくとも第２部分の周波数よりも高い周波数を持つ周期関数で置き換えることにより、生成された第１及び／又は第２合成信号の少なくとも第２部分の周波数を、より高い周波数にシフトさせてもよい。
【００６０】
選択されたピークのうちの幾つかのピークの少なくとも幾つかの位相を、［０，２π］ラジアンに亘る一様分布からランダムあるいは疑似ランダムに選択された位相で置き換えることによって、第１合成信号及び／又は第２合成信号の位相は、少なくとも部分的にランダム化されてもよい。
【００６１】
位相のランダム化は、さらにあるいは代替的に、聴覚装置の安定性もしくは安定性に関する要求に応じて行われてもよい。
【００６２】
本発明のいくつかの実施形態およびいくつかの特徴が上気されたが、これらの特徴のうちの１つにおける１または複数の実施例に含まれる特徴が、１つまたは複数のその他の特徴に含まれていてもよく、本明細書で「実施例」もしくは「１または複数の実施例」と記載した場合、これは本発明のいずれの特徴に基づく１または複数の実施例のいずれであってもよいことを意味する。
【００６３】
以下では、本発明の好ましい実施形態が図面を参照してより詳細に説明される。
【図面の簡単な説明】
【００６４】
【図１】本発明のある側面に係る補聴器の実施形態を概略的に示す。
【図２】補聴器の代替実施形態を概略的に示す。
【図３】補聴器の別の実施形態を概略的に示す。
【図４】補聴器のさらに別の実施形態を概略的に示す。
【図５】補聴器のさらに別の実施形態を概略的に示す。
【図６】窓関数が適用された音声セグメントの振幅スペクトルを概略的に示す。
【図７】周波数の低減の例を概略図示する。
【図８】２つのセンテンスを備えるテスト信号のスペクトログラムを概略的に示しており、１つ目のセンテンスは女性話者によって話され、２つ目のセンテンスは男性話者によって話されている。
【図９】スペクトル全体について正弦波モデリングを使用して再現されたテストセンテンスのスペクトログラムを概略的に示す。
【図１０】２ｋＨｚより上では正弦波モデリングを使用して、再現されたテストセンテンスのスペクトログラムを概略的に示す。
【図１１】２ｋＨｚより上では２：１の周波数圧縮と正弦波モデリングを使用して、再現されたテストセンテンスのスペクトログラムを概略的に示す。
【図１２】２ｋＨｚより上ではランダム位相と正弦波モデリングを使用して、再現されたテストセンテンスのスペクトログラムを概略的に示す。
【図１３】２ｋＨｚより上では２：１の周波数圧縮およびランダム位相と正弦波モデリングを使用して、再現されたテストセンテンスのスペクトログラムを概略的に示す。
【図１４】本発明に係る方法の一実施形態のフローチャートを概略的に示す。
【図１５】本発明に係る方法の代替実施形態のフローチャートを概略的に示す。
【図１６】本発明に係る方法の別の実施形態のフローチャートを概略的に示す。
【図１７】本発明に係る方法のさらに別の代替実施形態のフローチャートを概略的に示す。
【図１８】本発明に係る方法の実施形態のフローチャートを概略的に示す。
【図１９】補聴器の実施形態を概略的に示す。
【図２０】補聴器の実施形態を概略的に示す。
【図２１】補聴器の実施形態を概略的に示す。
【図２２】補聴器の実施形態を概略的に示す。
【図２３】補聴器の実施形態を概略的に示す。
【発明を実施するための形態】
【００６５】
以下では、本発明の例示的な実施形態を示す添付の図面を参照しながら、本発明をより詳細に説明する。しかしながら、本発明は異なる形態で具体化されてもよく、ここに示す実施形態に限定されるものと解釈されてはならない。むしろ、これらの実施形態は、本開示を完璧で完全なものとし、且つ本発明の範囲を当業者に完全に伝えるために提供される。全体を通して、同様の構成要素には同様の参照符号を付す。従って、各図の説明に関して、同様の構成要素は詳細には説明しない。
【００６６】
図１は、本発明に係る補聴器２の実施例を示す。図示された補聴器２は、ここでは電気的入力信号６を供給するマイクロホン４として具体化された入力変換器を備えている。補聴器２は電気的入力信号６（または電気的入力信号６から導出された信号）を補聴器２の使用者の聴覚損失に合わせて処理する聴覚損失処理装置８も備えている。電気的入力信号６は音声信号であることが理解される。図示された補聴器２は、処理済信号１２を出力音信号へ変換するレシーバ１０も備えている。本実施例では、処理済信号１２は聴覚損失処理装置８の出力信号である。聴覚損失処理装置８は、図１−図５の何れにも示されているように、周波数および／または音圧レベルに依存した聴覚損失補償アルゴリズムに従って聴覚損失処理装置８への入力信号を処理することが可能な、いわゆるコンプレッサを備えていてもよい。さらに、聴覚損失処理装置８は、その代替的な構成として、あるいは追加的な構成として、雑音低減アルゴリズムなどの他の標準的な補聴器アルゴリズムを実行するように構成することもできる。
【００６７】
補聴器２は、さらに第１フィルタ１４と第２フィルタ１６を備えている。フィルタ１４，１６は入力変換器（マイクロホン４）に接続されている。
【００６８】
第１フィルタ１４は、補聴器２の入力信号６の第１周波数部分を提供するよう構成されている。 第１周波数部分は、ローパスフィルタを通過した部分を備えている。 第２フィルタ１６は、入力信号６の第２周波数部分を提供するよう構成されている。第２周波数部分 は、ハイパスフィルタを通過した部分を備えている。すなわち、入力信号６からは複数の周波数部分が得られる。フィルタ１４，１６は、相補的な一対のフィルタとして設計することが可能である。フィルタ１４，１６は、双一次変換を用いてデジタル無限インパルス応答（ＩＩＲ）フィルタに変換される、少なくとも実質同一のカットオフ周波数を有する５次のバターワース型のハイパスフィルタ設計およびローパスフィルタ設計であってもよいし、そのような構成を有していてもよい。カットオフ周波数は２ｋＨｚに選択することができ、この場合入力信号６に部分的に基づく合成信号２４は、２ｋＨｚを超えない周波数領域でのみ生成される。他の実施形態では、カットオフ周波数は例えば１．５ｋＨｚから２．５ｋＨｚの範囲で調整可能である。
【００６９】
図示された補聴器２は、第１フィルタ１４の出力に接続された第１合成ユニット１８も備えている。第１合成ユニット１８は、第１周波数部分（すなわち、第１フィルタ１４の出力信号）および第１モデルに基づいて、第１合成信号２４を生成するように構成されている。このモデルは、第１周期関数に基づいている。これによって、少なくともある程度までは入力信号６を用いて相関除去された第１周波数部分における音声信号を提供する簡単な方法が提供される。
【００７０】
結合器２０（本実施例では単純な加算器として図示されている）は、第２フィルタ１６の出力と第１合成ユニット１８の出力に接続されており、結合信号２６を提供するために、第２周波数部分と第１合成信号２４を結合する。そして結合信号２６は、例えばダイナミック・レンジ・コンプレッションおよび場合によってはノイズ・サプレッションといった標準的な補聴器処理アルゴリズムを用いて、聴覚損失処理装置８で処理される。
【００７１】
第１フィルタ１４、第２フィルタ１６、第１合成ユニット１８、結合器２０および聴覚損失処理装置８は、デジタル信号処理（ＤＳＰ）ユニット２８の内部に実装されてもよい。ＤＳＰユニット２８は、要求仕様および使用可能なバッテリ電源に応じて、固定小数点ＤＳＰまたは浮動小数点ＤＳＰであってもよい。一以上の実施形態では、補聴器２はマイクロホン信号をデジタル信号６に変換するＡ／Ｄコンバータ（図示せず）および処理済信号１２をアナログ信号に変換するＤ／Ａコンバータ（図示せず）を備えていても良い。
【００７２】
モデルが基とする周期関数は、正弦波や、正弦波の線形結合などの三角関数であってもよい。記載を簡潔にするために、以下の実施形態についての記載では、主要な実施例として（例えばMcAulay,R.J.とQuatieri,T.F.の"Speech analysis/synthesis based on a sinusoidal representation"（IEEE Trans. Acoust. Speech and Signal Processing, Vol ASSP-34, pp 744-754, 1986）に開示された手順による）正弦波モデリングのみについて説明する。しかし、本明細書で言及される全ての実施例に関して、周期関数に基づく他のモデリングを代わりに用いることが出来ることに注意されたい。
【００７３】
図２は補聴器２の別の実施形態を示している。図２に示される実施形態は、図１に示す実施形態とほぼ同じであるから、相違点のみについて説明する。（図２に）図示された実施形態では、第１合成ユニット１８は２つの信号処理ブロック３０および３２に分割されている。第１ブロック３０において、周波数のシフティングが行われる。周波数のシフト（例えば、周波数の低減及び／又は増加、周波数のワーピングなど）は、第１フィルタ１４の出力信号の測定された振幅および位相を用いて、シフトされた周波数での出力正弦波を生成することによって行われる。正弦波の生成は、ブロック３２で行われる。正弦波の振幅はそのまま用いられるので、元の信号の包絡線の特性が保存される。周波数シフトを伴う正弦波モデリングは、補聴器２の入力信号および出力信号の相関除去を強化し、安定性を向上させるであろう。
【００７４】
図３は図２に示す補聴器２の入力信号と出力信号の間の相関除去を強化する代替又は追加の手法を示している。処理ブロック３４で示すように、周波数シフトの代わりに（あるいは、周波数シフトに加えて）、第１合成ユニット１８へ入力される信号の位相がランダム化される。ランダム位相は、入力される信号（すなわち、第１フィルタ１４の出力信号）について測定された位相を、０から２πラジアンに亘る一様分布から選択されたランダムな位相値に置き換えることによって実現される。ここでも正弦波の振幅はそのまま用いられるので、元の信号の包絡線の特性が保存される。
【００７５】
図４は、処理ブロック３０および３４で示すように、正弦波モデリングに周波数シフトと位相ランダム化を組み合わせた、補聴器２の実施形態を示す。組み合わせ処理については、第１合成ユニット１８で行われる正弦波モデリングは、第１合成ユニット１８への入力信号の元の振幅とランダムな位相値を用いて、シフトされた周波数での出力正弦波を生成する。周波数のシフトと位相のランダム化の組み合わせは、２ｋＨｚより下での正弦波モデリングを備える２バンドシステムを用いて実現される。一またはそれ以上の実施形態において、２ｋＨｚよりも小さい周波数は、１０個の正弦波を用いて再現される。これにより、補聴器２の入力信号および出力信号の間の高度な相関除去を実現する、非常にシンプルな方法が得られる。
【００７６】
図５は、周波数シフトと位相ランダム化を正弦波モデリングに組み合わせた、本発明の実施形態に係る補聴器２の別の実施形態を示している。第１合成ユニット１８へ入力される信号は第１フィルタ１４の出力信号である。入力される信号は、処理ブロック３６で示すように、複数のセグメントに分割される。窓関数の適用の際に失われる特徴を考慮に入れるために、それらのセグメントは例えば重なり合っていてもよい。処理ブロック３８で示すように、スペクトル漏れ（spectral leakage）を低減するように、それぞれのセグメントに窓関数を適用し、そのセグメントのＦＦＴが計算される。振幅スペクトルのＮ個の最も高いピークが選択されて、それぞれのピークの周波数、振幅および位相が補聴器２の内部のデータ記憶ユニット（明示されない）に記憶される。そして、測定された周波数、振幅および位相の値を用いて、選択されたピークのそれぞれについて１つの正弦波を生成する（処理ブロック３２によって示す）ことによって、出力信号が合成される。
【００７７】
上記の処理ステップに加えて、正弦波の開始および終了を滑らかにするために、以下の手順が用いられる。正弦波が以前のセグメントについて生成されたものと周波数が近い場合には、振幅および周波数が修正された正弦波を生成するために、出力セグメント期間に亘って振幅、位相および瞬時周波数が補間されてもよい。以前のセグメントと一致していない周波数成分は、開始における滑らかな推移（“birth”）を作り出すために、上昇するランプ関数を用いて重み付けされてもよい。以前のセグメントに存在しており現在のものに存在していない周波数成分は、振幅をゼロとする滑らかな推移（“death”）を作り出すために、下降するランプ関数を用いて重み付けされてもよい。
【００７８】
複数のセグメントは、例えば、フォンハン窓（２乗余弦窓）を用いて窓関数が適用される。使用可能な１つの窓関数のサイズは２４ｍｓ（サンプリングレート２２．０５ｋＨｚで５３０サンプル）である。他の形状およびサイズの窓関数を用いることも出来る。
【００７９】
ピークの選択の一例は図６に示されている。ここでは、窓関数が適用された音声（男性話者）のセグメント４０の振幅スペクトルが、垂直方向のスパイク４２で示される１６個の最も高い選択されたピークとともに示されている（図６の簡潔さと理解を明瞭にするために、２つの垂直方向のスパイクのみについて参照符号４２を付している）。この例では、２ｋＨｚより下で振幅スペクトルの４個のピークが生じており、残る１２個のピークが２ｋＨｚ以上で生じている。この例についてスペクトル全体を再現するには、合計で２２のピークが必要であろう。より短いセグメントのサイズを用いると、周波数分解能の低減によって母音の再現性が悪くなるであろうが、信号の時間−周波数の包絡線の振る舞いをより正確に再現することができる。本発明においては、信号の再現と周波数の修正に重点を置いている。人間の聴覚系は一定の周波数における周波数の識別力は低いため、周波数分解能の低減は聞き取られることがなく、実際には包絡線の振る舞いの再現における改善された正確さが音声の品質を改善するであろう。
【００８０】
図７は周波数の低減の実施例を示している。（例えば、処理ブロック３０によって示される）周波数の低減は、例えば２ｋＨｚより大きい高周波数で行われてもよい。高周波数領域を再現するために、１０個の正弦波が使用されるであろう。図示される周波数シフトで用いているのは、図７に示すように２：１の周波数コンプレッションである。この事は、低周波数帯域において何ら修正をすることなく、２ｋＨｚ以下の周波数が再現されることを意味している。２ｋＨｚを超えると、周波数の低減によって、３ｋＨｚが２．５ｋＨｚの正弦波として再現され、４ｋＨｚが３ｋＨｚに配置され、以下同様にして、１１ｋＨｚが６．５ｋＨｚの正弦波で再現される。学術的な調査（以下で明らかとなるであろう）によって、このような周波数の低減の手法は、声の音色にわずかな変化をもたらすが、明らかな歪をほとんどもたらさないことが示されている。
【００８１】
図７に示したものに追加して、あるいはその代替として、その他の様々な周波数シフトが可能である。例えば、周波数の低減の代替として、あるいは、これに加えて周波数の増加を行ってもよい。また、非線形シフトを用いてもよい。
【００８２】
図８はテスト信号のスペクトログラムを概略的に示している。その信号は２つのセンテンスを含んでおり、１つめは女性話者が話したものであり、２つめは男性話者が話したものである。右側のバーは、信号のピークのレベルに関して、ｄＢでの範囲を示している。
【００８３】
入力音声のスペクトログラムが図８に示されており、スペクトル全体を再現するために３２個の正弦波を用いる正弦波モデリングを用いて再現されたセンテンスのスペクトログラムが図９に示されている。正弦波モデリングにおけるある程度の分解能の喪失を見て取ることができる。例えば、約０．８ｓｅｃでの１ｋＨｚを下回るピッチ高調波は図９ではぼやけており、同様に２ｋＨｚと４ｋＨｚの間の高調波もほとんど再現されていない。１．２ｓｅｃから１．５ｓｅｃの間についても、同様の効果が得られる。図９で約２ｓｅｃから開始する、男性話者についての正弦波モデリングの効果は、あまりはっきりしない。
【００８４】
図１９または２０に示す補聴装置の実施形態に係る２バンドの補聴器における、シミュレートされた処理についてのスペクトログラムが、図１０に示されている。ここでは、正弦波モデリングは第１合成ユニット１８と第２合成ユニット１９において用いられている。図１０の例では、第４周波数部分、すなわちこの例では２ｋＨｚを超える周波数については、１０個の正弦波が用いられる。２ｋＨｚを下回る周波数は、第１合成ユニット１８によって行われた少しの修正のみで再現されているが、そのような微差があるにもかかわらず、図示されるスペクトログラムは低周波数において元のものと見かけ上実質的に一致している。しかしながら、２ｋＨｚを超えると、正弦波モデリングによる不完全な信号の再現がよりはっきりと確認される。
【００８５】
図１１に、周波数圧縮についてのスペクトログラムが示される。２ｋＨｚを超える高調波構造の詳細の大部分は失われているようであるが、包絡線の振る舞いは保存されている。２ｋＨｚを超える周波数のシフトは明らかである。この例で用いられるＦＦＴのサイズは２４ｍｓｅｃであり、窓関数が適用されたセグメントの期間は６ｍｓｅｃである。６ｍｓｅｃ（１３２サンプル）のセグメントのサイズに一致させるためにＦＦＴのサイズを低減することは、本発明の一またはそれ以上の実施形態に係る聴覚装置において、より実用的である。ＦＦＴのサイズを低減しても、ここで説明する実施例と同じスペクトログラムと音声品質を与えるであろう。なぜなら、決定的な要因はセグメントのサイズだからである。
【００８６】
図１２は、２ｋＨｚを超える部分（第２周波数部分）は２：１の周波数コンプレッションとランダム位相を用いることで再現された、テストセンテンスについてのスペクトログラムを概略的に示している。元の音声は１．２ｋＨｚ以下で、かつ１．５〜２ｋＨｚの範囲内で提供されるものであり、１．２〜１．５ｋＨｚ（第１周波数部分）の周波数領域における正弦波モデリングが行われる。位相のランダム化は、図示された例では、本発明の一またはそれ以上の実施形態に係る聴覚装置に、２ｋＨｚより上での正弦波モデリングを用いたシミュレーションを用いて実装されている。２ｋＨｚを超える周波数は１０個の正弦波を用いて再現されている。正弦波の振幅の情報は保存されるが、位相についてはランダムな値に置き換えられている。ランダム位相は本質的には音声の明瞭さや品質に何の影響もない。なぜなら、２ｋＨｚを超える部分を元の位相値とした場合の正弦波モデリングについての明瞭度指数Ｉ3は０．９９９であり、ランダム位相の音声についても０．９９９であり（この内容は、Kates,J.M.とArehart,K.H.の"Coherence and the speech intelligibility index"（J. Acoust. Soc. Am., Vol. 117, pp 2224-2237, 2005）で報告されている）、この事から完全な明瞭さが期待されるからである。同様に、正弦波モデリングについてのＨＡＳＱＩ品質指数（この内容は、Kates,J.M.とArehart,K.H.の"The hearing aid speech quality index (HASQI)"（J. Audio Eng. Soc.に掲載, 2009）で報告されている）の値は、２ｋＨｚを超える部分で元の位相値を用いる場合は０．９２１であり、ランダム位相の音声では０．９１５であるから、本質的には品質の低下がない。ＨＡＳＱＩは処理された信号と元の信号の包絡線の変化を測定するものであり、この結果はランダム位相を用いた正弦波モデリングが音声の包絡線を顕著に変化させるものではないことを示していることに注意されたい。１．２〜１．５ｋＨｚの周波数領域における正弦波モデリングについても同様である。
【００８７】
高周波数帯域においてランダム位相を有する音声のスペクトログラムを図１２に示す。位相のランダム化によって、図１０のスペクトログラムで示した２ｋＨｚより上での正弦波モデリングと比較して、幾つかの小さな変化がもたらされている。例えば、０．６ｓｅｃと０．８ｓｅｃの間では、ランダム位相の信号は、元の位相値を用いた正弦波モデリングより、３ｋＨｚから５ｋＨｚまでの間の高調波ピークが不正確となっている。
【００８８】
図１３は、２ｋＨｚを超える部分（第２周波数部分）と、第１周波数部分を除く２ｋＨｚを下回る元の音声は２：１の周波数コンプレッションとランダム位相を伴う正弦波モデリングを用いて再現されたテストセンテンスについてのスペクトログラムを示している。組み合わされた処理では、第２周波数部分の正弦波モデリングは元の振幅とランダム位相値を用いて、シフトされた周波数での出力正弦波を生成する。周波数の低減と位相のランダム化の組み合わせは、２ｋＨｚより上での正弦波モデリングと補聴器のシミュレーションを用いて実装されている。２ｋＨｚを超える周波数は１０個の正弦波を用いて再現されている。スペクトログラムから分かるように、組み合わされた処理と、元の位相値を用いた周波数の低減の間では、聞き取ることができる違いは極めて小さい。
【００８９】
図１４は、聴覚装置の入力信号と出力信号との相関を除去する、本発明による方法のフローチャートを示している。この方法は、入力信号の複数の周波数部分を選択するステップ４４と、第１合成信号を生成するステップ４６と、複数の処理信号を結合するステップ４８とを備えている。
【００９０】
複数の周波数部分は、第１周波数部分と第２周波数部分とを含んでいる。第１周波数部分は、ローパスフィルタを通過した部分を備える。第２周波数部分は、ハイパスフィルタを通過した部分を備える。
【００９１】
第１合成信号を生成するステップは、第１周波数部分と第１モデルを用いてなされ、第１モデルは、第１周期関数に基づいている。
【００９２】
複数の処理信号を結合するステップは、第１合成信号と第２周波数部分を結合することを含む。
【００９３】
図１４に示す方法のフローチャートは補聴器に用いることができ、そして、組み合わされた信号は聴覚障害補正アルゴリズムによって処理することができ、そして、補聴器のレシーバによって音信号に変換することができる。この２つの付加的な部分は、図１４の点線のブロック５０（組み合わされた信号を聴覚障害補正アルゴリズムで処理するステップ）および５２（聴覚障害が補正された信号を音信号に変換するステップ）で示されている。
【００９４】
図１５は、本発明に係る方法の代替実施形態のフローチャートを示している。その方法は、以下のステップをさらに含んでいる。
ブロック５４で示す、入力信号の第１（および／または第２）周波数部分を（場合によっては重なり合っている）複数のセグメントに分割するステップと、
ブロック５６で示す、各セグメントに窓関数を適用して周波数領域に変換するステップ（このステップ（５６）は一またはそれ以上の実施形態において窓関数を適用した高速フーリエ変換（ＦＦＴ）を用いることで実現され、その窓関数はハン窓である）と、
ブロック５８で示す、各セグメントにおいてＮ個（ここでＮは１，２または２より大きい、例えば８−２０のあたりの適切な自然数であって、例えば１０である）の最も高いピークを選択するステップと、
ブロック６０で示す、選択されたピークのそれぞれを周期関数で置き換えることによって、第１（および／または第２）合成信号を生成するステップ。
事実上、図１４に示すステップ４６はステップ５４，５６，５８および６０に分けられる。図に示すように、図１５に示す方法の実施形態は、図１４に関連して説明したように、付加的なステップ５０および５２を備えていてもよい。図１５に示す実施形態に係る方法の一またはそれ以上の実施形態において、合成信号を生成するステップ４６は、Ｎ個のピークそれぞれの周波数、振幅および位相を用いて周期関数を生成するステップをさらに備えていてもよい。
【００９５】
図１６は、図１５に示す方法の代替（又は追加）実施形態のフローチャートを示している。その方法は、選択されたピークそれぞれを、それらのピークの周波数よりも低い周波数を有する周期関数で置き換えることによって、生成された合成信号（もしくはその一部）を低い（および／または高い）周波数にシフトするステップ６２をさらに備えている。
【００９６】
図１７は、図１５に示す方法の代替（又は追加）実施形態のフローチャートを示している。その方法は、選択された幾つかのピークの少なくとも幾つかの位相を、[０，２π]ラジアンに亘る一様分布からランダムに、あるいは疑似ランダムに選択された位相で置き換えることによって、第１（および／または第２）合成信号の位相が少なくとも部分的にランダム化されるステップ６４をさらに備えている。
【００９７】
図１８は図１５に示す方法の代替（又は追加）実施形態を示している。ここでは、例えば低減等の上述した周波数シフト（ステップ６２）と上述した位相のランダム化（ステップ６４）が、同一の実施形態において組み合わされている。
【００９８】
図１７または図１８に示す方法の一またはそれ以上の実施形態によれば、位相のランダム化は調整可能であってもよく、図１７または図１８に示す方法の一またはそれ以上の実施形態によれば、位相のランダム化は補聴器の安定性に応じて実施されてもよい。
【００９９】
ここで図１４を参照すると、本発明の実施形態は、図１４に関連して説明したものに加えて、選択されたピーク（例えば、選択されたピークそれぞれ）を、それらのピークの周波数よりも低い周波数を有する周期関数で置き換えることによって、生成された合成信号の周波数を、より低い周波数、および／またはより高い周波数にシフトさせるステップを備えてもよく、および／または、選択されたピークのうちの幾つかのピークの、少なくとも幾つかの位相を、０から２πラジアンに亘る一様分布からランダムに、あるいは疑似ランダムに選択された位相で置き換えることによって、合成信号の位相が少なくとも部分的にランダム化されるステップを備えてもよい。
【０１００】
図１９は、聴覚装置１０２を模式的に示し、聴覚装置１０２は、第１フィルタ１４と、第２フィルタ１６と、第１合成ユニット１８と、結合器２０（すなわち、複数の結合器２０を含む一つの結合器２０）と、第３フィルタ１５と、第４フィルタ１７と、第２合成ユニット１９とを備えている。さらに、聴覚装置１０２は、入力変換器４と、聴覚損失処理装置８と、レシーバ１０とを備えている。入力変換器は、入力信号６を供給するように構成されている。
【０１０１】
第１フィルタ１４は、入力信号６の第１周波数部分を供給するように構成されている。第１周波数部分は、ローパスフィルタを通過した部分を備える。
【０１０２】
第２フィルタ１６は、入力信号６の第２周波数部分を供給するように構成されている。第２周波数部分は、ハイパスフィルタを通過した部分を備える。
【０１０３】
第１合成ユニット１８は、第１周期関数に基づく第１モデルを用いて、第１周波数部分から、第１合成信号を生成するように構成されている。
【０１０４】
結合器２０（聴覚装置１０２用のものは、３つの結合器２０によって具体化される）は、第２周波数部分を第１合成信号と結合し、結合信号２６を供給するように構成されている。
【０１０５】
第３フィルタ１５は、入力信号の第３周波数部分を供給するように構成されている。第３周波数部分は、ローパスフィルタを通過した部分を備える。聴覚装置は、結合信号２６に第３周波数部分を含めるように構成されている。
【０１０６】
第１周波数部分は、バンドパスフィルタを通過した部分である。
【０１０７】
第４フィルタ１７は、入力信号６の第４周波数部分を供給するように構成されている。第４周波数部分は、ハイパスフィルタを通過した部分を備える。
【０１０８】
第２合成ユニット１９は、第２周期関数に基づく第２モデルを用いて、第４周波数部分から第２合成信号を生成するように構成されている。聴覚装置は、第２合成信号を結合信号２６に含めるように構成されている。
【０１０９】
第２周波数部分は、バンドパスフィルタを通過した部分である。第２周波数部分は、第１周波数部分よりも高い周波数に対応する。
【０１１０】
実施形態１０２においては、入力信号は、以下の４つの周波数セグメントまたは周波数部分に、少なくとも実質的に分割されることが実現される。その４つとは、高周波数部分（第４周波数部分）と、低周波数部分（第３周波数部分）と、中間域高周波数部分（第２周波数部分）と、中間域低周波数部分（第１周波数部分）である。
【０１１１】
第１周波数部分は、例えば、１ｋＨｚから１．５ｋＨｚの間の周波数部分であってよい。第２周波数部分は、例えば、１．５ｋＨｚから２．５ｋＨｚの間の周波数部分であってよい。第３周波数部分は、例えば、１ｋＨｚより低い周波数部分であってよい。第４周波数部分は、例えば、２．５ｋＨｚより高い周波数部分であってよい。
【０１１２】
聴覚損失処理装置８は、結合信号２６を処理して、処理済信号を供給するように構成されている。レシーバ１０は、処理済信号を出力音信号に変換するように構成されている。
【０１１３】
図２０に示される実施形態２０２は、図１９に示される実施形態１０２と、実質的に同一である。図２０の実施形態２０２は、図１９の実施形態１０２と、結合器２０が、関連する信号、すなわち第２周波数部分と、第３周波数部分と、第１合成信号と、第２合成信号とを、結合するための単一の結合器２０によって示されている点で異なる。
【０１１４】
図２１および２２にそれぞれ示される実施形態３０２および４０２は、実施形態１０２および２０２と、第４フィルタおよび第２合成ユニットが省略されている点で、実質的に異なる。
【０１１５】
実施形態３０２および４０２においては、入力信号は、以下の３つの周波数セグメントまたは周波数部分に、少なくとも実質的に分割されることが実現される。その３つとは、低周波数部分（第３周波数部分）と、高周波数部分（第２周波数部分）と、中間域周波数部分（第１周波数部分）である。
【０１１６】
第１周波数部分は、例えば、１ｋＨｚから２ｋＨｚの間の周波数部分であってよい。第２周波数部分は、例えば、２ｋＨｚより高い周波数部分であってよい。第３周波数部分は、例えば、１ｋＨｚより低い周波数部分であってよい。
【０１１７】
図２３は、聴覚装置５０２を模式的に示し、聴覚装置５０２は、第１フィルタ１４（二つのフィルタ部分、すなわちフィルタ部分１４Ａと１４Ｂ４とからなる）と、第２フィルタ１６と、第１合成ユニット１８と、結合器２０と、第３フィルタ（二つのフィルタ部分、すなわちフィルタ部分１４Ａと１４Ｂ３とからなる）と、第４フィルタ（二つのフィルタ部分、すなわちフィルタ部分１４Ａと１４Ｂ２とからなる）と、第２合成ユニット１９と、第５フィルタ１４Ａと、第３合成ユニット２１とを備えている。さらに、聴覚装置５０２は、入力変換器４と、聴覚損失処理装置８と、レシーバ１０とを備えている。入力変換器は入力信号６を供給するように構成されている。
【０１１８】
第１フィルタ１４は、入力信号６の第１周波数部分を供給するように構成されている。第１周波数部分は、ローパスフィルタを通過した部分を備える。
【０１１９】
第２フィルタ１６は、入力信号６の第２周波数部分を供給するように構成されている。第２周波数部分は、ハイパスフィルタを通過した部分を備える。
【０１２０】
第１合成ユニット１８は、第１周期関数に基づく第１モデルを用いて、第１周波数部分から、第１合成信号を生成するように構成されている。
【０１２１】
結合器２０は、第２周波数部分を第１合成信号と結合し、結合信号２６を供給するように構成されている。
【０１２２】
第３フィルタは、入力信号の第３周波数部分を供給するように構成されている。第３周波数部分は、ローパスフィルタを通過した部分を備える。聴覚装置（すなわち結合器２０）は、結合信号２６に第３周波数部分を含めるように構成されている。
【０１２３】
第１周波数部分は、バンドパスフィルタを通過した部分である。
【０１２４】
第４フィルタは、入力信号６の第４周波数部分を供給するように構成されている。第４周波数部分は、ハイパスフィルタを通過した部分を備える。
【０１２５】
第２合成ユニット１９は、第２周期関数に基づく第２モデルを用いて、第４周波数部分から第２合成信号を生成するように構成されている。聴覚装置（すなわち結合器２０）は、第２合成信号を結合信号２６に含めるように構成されている。
【０１２６】
第２周波数部分は、バンドパスフィルタを通過した部分である。第２周波数部分は、第１周波数部分よりも高い周波数に対応する。
【０１２７】
第５フィルタ１４Ａは、入力信号６の第５周波数部分を供給するように構成されている。
【０１２８】
第３合成ユニット２１は、第３周期関数に基づく第３モデルを用いて、第５周波数部分から第３合成信号を生成するように構成されている。聴覚装置（すなわち結合器２０）は、結合信号２６に第３合成信号を含めるように構成されている。
【０１２９】
図２３に示される実施形態においては、入力信号が、以下の５つの周波数セグメントまたは周波数部分に、少なくとも実質的に分割されることが実現される。その５つとは、高周波数部分（第４周波数部分）と、低周波数部分（第５周波数部分）と、中間域高周波数部分（第２周波数部分）と、中間域低周波数部分（第３周波数部分）と、中間域中間周波数部分（第１周波数部分）である。
【０１３０】
第１周波数部分は、例えば、１．５ｋＨｚから２ｋＨｚの間の周波数部分であってよい。第２周波数部分は、例えば、２ｋＨｚから２．５ｋＨｚの間の周波数部分であってよい。
３周波数部分は、例えば、１ｋＨｚから１．５ｋＨｚの間の周波数部分であってよい。第４周波数部分は、例えば、２．５ｋＨｚより高い周波数部分であってよい。第５周波数部分は、例えば、１ｋＨｚより低い周波数部分であってよい。
【０１３１】
聴覚損失処理装置８は、結合信号２６を処理して、処理済信号を供給するように構成されている。レシーバ１０は、処理済信号を出力音信号に変換するように構成されている。
【０１３２】
正弦波モデリングは、図１４−１８に示す方法及び／又は図１−５及び／又は９−２３に示す装置のいずれの実施形態においても用いることができる。本発明の実施形態で用いられる正弦波モデリングの手順は、入力される信号が、好ましくは重なり合う複数のセグメントに分割される、McAulay,R.J.とQuatieri,T.F.の"Speech analysis/synthesis based on a sinusoidal representation"（IEEE Trans. Acoust. Speech and Signal Processing, Vol ASSP-34, pp 744-754, 1986）の手順に基づいていてもよい。それぞれのセグメントには窓関数が適用され、そのセグメントについてＦＦＴが計算される。そして、振幅スペクトルのＮ個の最も高いピークが選択され、それぞれのピークの周波数、振幅および位相がデータ記憶ユニットに記憶される。そして、測定された周波数、振幅および位相の値を用いて、選択されたピークそれぞれに対して１つの正弦波を生成することで、出力信号が合成される。正弦波の周波数が以前のセグメントについて生成されたものと近い場合、振幅、位相および瞬時周波数は、出力セグメント期間に亘ってさらに補間されて、振幅および周波数が修正された正弦波を生成する。以前のセグメントと一致しない周波数成分は、上昇するランプ関数を用いて重み付けされ、開始における滑らかな推移（“birth”）を作り出し、以前のセグメントに存在しており現在のものに存在していない周波数成分は、下降するランプ関数を用いて重み付けされて、振幅をゼロとする滑らかな推移（“death”）を作り出す。
【０１３３】
周期関数が正弦波である実施例においては、正弦波モデリングは（一般的な周期関数を用いたモデリングと同じように）部分的なランダム位相を用いる選択肢を与えることが期待される。元の位相値とランダム位相値を混合することによって、推定されたシステムの安定性に応じて信号に適用される値のランダム化を連続的に調整することができる。補聴器２及び／又は聴覚装置が安定であると思われる場合には、元の位相値を用いることができ、その補聴器２及び／又は聴覚装置が不安定になり始める時に、ランダム位相に徐々に推移させることができる。従って、図３，４，５，１７または１８において（処理ブロック３４または６４で）図示される位相のランダム化は、調整可能であってもよい。さらに、本発明の実施形態において、図３，４，５，１７または１８において（例えば処理ブロック３４または６４で）図示される位相のランダム化の調整は、補聴器２及び／又は聴覚装置の安定性に応じて実施されてもよい。
【０１３４】
従って、本明細書で提供される新たなアイディアは、入力される信号の複数の周波数部分を提供することと、１または複数の周波数部分のみについて正弦波モデリングを適用することに関連しており、このアイディアは補聴器等の聴覚装置において実現可能であり、好ましいものである。本明細書において提供する処理の結果は、周波数のシフティング及び／又は信号の相関除去において、正弦波モデリングが有効な手順であることを示している。さらに、正弦波モデリングは幾つかの利点を有する：正弦波モデリングは、ピッチの検出または有声／無声の判断を必要とすることなく、音声を正確に再現することができる；これらの操作の何れも、本明細書の実施例では実装されていない。合成信号を生成するための周波数部分を、例えば高周波数、及び／又は低周波数及び／又はバンドパス領域等のその他の周波数領域等の限定的な範囲に制限することは、聞き取ることができる処理の産物（processing artifacts）の少なくとも一部を除去するうえで効果的である。限定された周波数の再現に必要とされる正弦波の数を減らすことによって、その処理に関する計算負荷を著しく低減することができる。その結果、計算効率が良く、高い音声品質を与える非線形の信号操作が実現される。本発明において提供される実施例は、正弦波モデリングの実現可能性を示すことを意図しており、補聴器及び／又は聴覚装置にプログラミングされる処理の最終版及び／又は制限されたバージョンを意図するものではない。
【０１３５】
本発明がその精神と基本的な特徴から逸脱することなく、他の具体的な形態に具現化することができ、かつ様々な異なるアルゴリズムを利用することができることが、本技術分野に詳しい者には理解されるであろう。例えば、アルゴリズムの選択（例えば、どの種類の正弦波モデリングを用いるか）は、通常は応用に特有のものであって、その選択は予想される処理の複雑さや計算負荷などの様々な要因に依存している。さらに、本明細書における開示および記述は、添付の特許請求の範囲において規定される本発明の範囲を説明するためのものであって、本発明の範囲を制限するものではない。
【０１３６】
以下の任意の項目による聴覚装置および方法は、本明細書に開示されている。
【０１３７】
（項目１）聴覚装置であって、
入力信号の第１周波数部分であって、ローパスフィルタを通過した部分を備える前記第１周波数部分を供給するように構成されている第１フィルタと、
前記入力信号の第２周波数部分であって、ハイパスフィルタを通過した部分を備える前記第２周波数部分を供給するように構成されている第２フィルタと、
前記第１周期関数に基づく第１モデルを用いて、前記第１周波数部分から第１合成信号を生成するように構成されている第１合成ユニットと、
前記第２周波数部分と前記第１合成信号とを結合し、結合信号を供給するように構成されている結合器と、を備える聴覚装置。
【０１３８】
（項目２）項目１に記載の聴覚装置であって、
前記入力信号の第３周波数部分であって、ローパスフィルタを通過した部分を備える前記第３周波数部分を供給するように構成されている第３フィルタを備え、
前記第３の周波数部分を前記結合信号に含めるように構成されている、聴覚装置。
【０１３９】
（項目３）項目１または２に記載の聴覚装置であって、
前記第１周波数部分がバンドパスフィルタを通過した部分である、聴覚装置。
【０１４０】
（項目４）項目１から３のいずれかに記載の聴覚装置であって、
前記入力信号の第４周波数部分であって、ハイパスフィルタを通過した部分を備える前記第４周波数部分を供給するように構成されている第４フィルタと、
第２周期関数に基づく第２モデルを用いて、前記第４周波数部分から第２合成信号を生成するように構成されている第２合成ユニットと、を備え、
前記第２合成信号を前記結合信号に含めるように構成され、
前記第２周波数部分がバンドパスフィルタを通過した部分である、聴覚装置。
【０１４１】
（項目５）項目４に記載の聴覚装置であって、
前記第２合成ユニットは、前記第２合成信号の周波数をより低い周波数にシフトさせるように構成されている、聴覚装置。
【０１４２】
（項目６）項目１から５のいずれかに記載の聴覚装置であって、
前記第１合成ユニットは、前記第１合成信号の周波数をシフトさせるように構成されている聴覚装置。
【０１４３】
（項目７）項目１から６のいずれかに記載の聴覚装置であって、
前記第１合成ユニットは、
前記第１周波数部分を、互いに重なり合い得る複数の第１セグメントに分割し、
前記複数の第１セグメントの各セグメントに窓関数を適用して周波数領域に変換し、
各セグメントにおいて、少なくとも２であり得るＮ個の最も高いピークを選択するように構成され、
前記第１合成信号を生成することは、前記選択されたピークのそれぞれを前記第１周期関数で置き換えることを含む、聴覚装置。
【０１４４】
（項目８）項目１から７のいずれかに記載の聴覚装置であって、
前記入力信号を供給するように構成されている入力変換器、および／または、
前記結合信号を、前記聴覚装置の使用者の聴覚損失に合わせて処理し、処理済信号を供給するように構成されている聴覚損失処理装置、および／または
前記処理済信号を出力音信号に変換するように構成されているレシーバ、を備える聴覚装置。
【０１４５】
（項目９）項目１から８のいずれかに記載の聴覚装置であって、
前記第１周期関数は、正弦波、正弦波の線形結合等のような三角関数を含む、聴覚装置。
【０１４６】
（項目１０）項目１から９のいずれかに記載の聴覚装置であって、
前記第１合成信号の位相は、少なくとも部分的にランダム化される、聴覚装置。
【０１４７】
（項目１１）項目１０に記載の聴覚装置であって、
前記位相のランダム化は、調整可能である、聴覚装置。
【０１４８】
（項目１２）項目６又はそれに従属するいずれかの項目に記載の聴覚装置であって、
前記第１合成ユニットは、前記第１合成信号の少なくとも第１部分の周波数を、より低い周波数にシフトさせるように構成されている、聴覚装置。
【０１４９】
（項目１３）項目６又はそれに従属するいずれかの項目に記載の聴覚装置であって、
前記第１合成ユニットは、前記第１合成信号の少なくとも第２部分の周波数を、より高い周波数にシフトさせるように構成されている、聴覚装置。
【０１５０】
（項目１４）項目４又はそれに従属するいずれかの項目に記載の聴覚装置であって、
前記第２合成信号の位相は、少なくとも部分的にランダム化される、聴覚装置。
【０１５１】
（項目１５）項目７又は項目１０又はそれらに従属するいずれかの項目に記載の聴覚装置であって、
前記第１合成信号の位相は、選択されたピークのうちの幾つかのピークの少なくとも幾つかの位相を、［０，２π］ラジアンに亘る一様分布からランダム又は疑似ランダムに選択された位相で置き換えることによって、少なくとも部分的にランダム化される、聴覚装置。
【０１５２】
（項目１６）項目１０又はそれに従属するいずれかの項目に記載の聴覚装置であって、
前記位相のランダム化は、前記聴覚装置の安定性に応じて実施される、聴覚装置。
【０１５３】
（項目１７）項目７又はそれに従属するいずれかの項目に記載の聴覚装置であって、
前記第１合成信号の生成は、前記Ｎ個のピークのそれぞれの周波数と振幅と位相とを用いることを含む、聴覚装置。
【０１５４】
（項目１８）項目１から１７のいずれかに記載の聴覚装置であって、
前記聴覚装置は、聴覚機器と補聴器とのいずれか一方あるいはいずれかの組み合わせである聴覚装置。
【０１５５】
（項目１９）聴覚装置の入力信号と出力信号との相関を除去する方法であって、
ローパスフィルタを通過した部分を備える第１周波数部分と、ハイパスフィルタを通過した部分を備える第２周波数部分と、を含む前記入力信号の複数の周波数部分を選択することと、
第１周期関数に基づく第１モデルと前記第１周波数部分とを用いて、第１合成信号を生成することと、
前記第１合成信号と前記第２周波数部分とを含む複数の処理信号を結合することと、
を備える方法。
【０１５６】
（項目２０）項目１９に記載の方法であって、
前記複数の周波数部分は、ローパスフィルタを通過した部分を備える第３周波数部分を含み、
前記複数の処理信号は、前記第３周波数部分を含む、方法。
【０１５７】
（項目２１）項目１９または２０に記載の方法であって、
前記第１周波数部分は、バンドパスフィルタを通過した部分である、方法。
【０１５８】
（項目２２）項目１９から２１のいずれかに記載の方法であって、
前記複数の周波数部分は、ハイパスフィルタを通過した部分を備える第４周波数部分を含み、
前記方法は、第２周期関数に基づく第２モデルと前記第４周波数部分とを用いて、第２合成信号を生成することを備え、
前記複数の処理信号は、前記第２合成信号を含み、
前記第２周波数部分は、バンドパスフィルタを通過した部分である、方法。
【０１５９】
（項目２３）項目１９から２２のいずれかに記載の方法であって、
前記方法は、
前記第１周波数部分を、互いに重なり合い得る複数の第１セグメントに分割することと、
前記複数の第１セグメントの各セグメントに窓関数を適用して周波数領域に変換することと、
各セグメントにおいて、少なくとも２であり得るＮ個の最も高いピークを選択することと、を備え、
前記第１合成信号を生成することは、前記選択されたピークのそれぞれを前記第１周期関数で置き換えることを含む、方法。
【０１６０】
（項目２４）項目２３に記載の方法であって、
前記選択されたピークの少なくとも第１部分を、前記選択されたピークの前記少なくとも第１部分の周波数よりも低い周波数を持つ周期関数で置き換えることにより、前記生成された第１合成信号の少なくとも第１部分の周波数を、より低い周波数にシフトさせる、方法。
【０１６１】
（項目２５）項目２３または２４に記載の方法であって、
前記選択されたピークの少なくとも第２部分を、前記選択されたピークの前記少なくとも第２部分の周波数よりも高い周波数を有する周期関数で置き換えることにより、前記生成された第１合成信号の少なくとも第２部分の周波数を、より高い周波数にシフトさせる、方法。
【０１６２】
（項目２６）項目２３から２５のいずれかに記載の方法であって、
前記第１合成信号の位相は、選択されたピークのうちの幾つかのピークの少なくとも幾つかの位相を、［０，２π］ラジアンに亘る一様分布からランダムあるいは疑似ランダムに選択された位相で置き換えることによって、少なくとも部分的にランダム化される、方法。
【０１６３】
（項目２７）項目１９から２６のいずれかに記載の方法であって、
前記第１周期関数は、正弦波、正弦波の線形結合等の三角関数を含む、方法。
【０１６４】
（項目２８）項目１９から２７のいずれかに記載の方法であって、
前記第１合成信号の位相は、少なくとも部分的にランダム化される、方法。
【０１６５】
（項目２９）項目２８に記載の方法であって、
前記位相のランダム化は、調整可能である、方法。
【０１６６】
（項目３０）項目２２又はそれに従属するいずれかの方法であって、前記第２合成信号の位相は、少なくとも部分的にランダム化される、方法。
【０１６７】
（項目３１）項目２８又はそれに従属するいずれかの項目に記載の方法であって、
前記位相のランダム化は、前記聴覚装置の安定性に応じて実施される、方法。
【０１６８】
（項目３２）項目２３又はそれに従属するいずれかの項目に記載の方法であって、
前記第１合成信号の生成は、前記Ｎ個のピークのそれぞれの周波数と振幅と位相とを用いることを含む、方法。
【０１６９】
（項目３３）項目１９から３２のいずれかに記載の方法であって、
前記聴覚装置は、聴覚機器と補聴器のいずれか一方あるいはいずれかの組み合わせである、方法。
【図１】
0005984943.tif 000002
【図２】
0005984943.tif 000003
【図３】
0005984943.tif 000004
【図４】
0005984943.tif 000005
【図５】
0005984943.tif 000006
【図６】
0005984943.tif 000007
【図７】
0005984943.tif 000008
【図８】
0005984943.tif 000009
【図９】
0005984943.tif 000010
【図１０】
0005984943.tif 000011
【図１１】
0005984943.tif 000012
【図１２】
0005984943.tif 000013
【図１３】
0005984943.tif 000014
【図１４】
0005984943.tif 000015
【図１５】
0005984943.tif 000016
【図１６】
0005984943.tif 000017
【図１７】
0005984943.tif 000018
【図１８】
0005984943.tif 000019
【図１９】
0005984943.tif 000020
【図２０】
0005984943.tif 000021
【図２１】
0005984943.tif 000022
【図２２】
0005984943.tif 000023
【図２３】
0005984943.tif 000024